(57)【要約】    【課題】  本考案は、就寝中に肩から布団が外れて肩が露出した状態になっても、肩や首が受ける寒さを防いで、風邪をひきづらくし、パジャマを冬用や夏用に取り替えることなく、季節を通して着用することができる衣料品を提供する。    【解決手段】  衣料品１は、前開きで長袖の襟付きパジャマ２と、該パジャマ２に対して着脱可能なボレロ風の上衣３とで構成されている。保温性のよい布地で形成された上衣３には、パジャマ２の袖部２ｃ，２ｄの袖丈より短い袖部３ｃ，３ｄと、パジャマ２に取り付け可能なファスナー４ａ，４ｂ及びボタンホール７ａ，７ｂとが設けられている。【選択図】      図１
0003101639.tif 000002
【実用新案登録請求の範囲】
【請求項１】
パジャマを着用する着用者の首部及び／又は肩部を前記パジャマの上から覆う布製の上衣本体と、
前記パジャマの袖を覆うべく、前記上衣本体に縫い合わされ、前記パジャマの袖丈より短い袖部と、
前記上衣本体と前記パジャマとを着脱自在に取り付ける取り付け部とを備えることを特徴とする衣料品。
【請求項２】
前記取り付け部は、ファスナー、ボタン、及びマジックテープの少なくとも１つから構成されていることを特徴とする請求項１記載の衣料品。
【考案の詳細な説明】
【技術分野】
【０００１】
本考案は、衣料品に関し、特に、主として就寝時に着用する衣料品に関する。
【背景技術】
【０００２】
パジャマ等の衣料品は、従来、冬場には生地が厚手で長袖のものが着用されていたが、エアコンや電気ストーブ等の普及によって常時室内暖房が行われていることから、生地の薄いものが着用される傾向にある。
【考案の開示】
【考案が解決しようとする課題】
【０００３】
しかしながら、パジャマの着用者は、就寝中には暖房を切って寝ているため、寝返りや寝相の悪さにより掛布団や毛布がはだけ、肩部より外れて肩が露出し、室温の低下により肩や首を冷やしたり、寒くて風邪を引いたりしてしまうという不具合が生じている。
【０００４】
特に、プロスポーツ選手やアスリートは、冬場に限らず、肩の故障に気を付けなければならないことから、パジャマやトレーナーの上から重ね着をしたり、首から肩にかけてタオルを巻くなどの対策を行っているが、就寝中に重ね着により寝苦しくなったり、はだけてしまって効果がない場合がある。
【０００５】
本考案は、上記不具合に鑑みて成されたものであり、就寝中に肩から布団が外れて肩が露出した状態になっても、肩や首が受ける寒さを防いで、風邪をひきづらくし、パジャマを冬用や夏用に取り替えることなく、季節を通して着用することができる衣料品を提供することを目的とする。
【課題を解決するための手段】
【０００６】
上記目的を達成するために、請求項１記載の衣料品は、パジャマを着用する着用者の首部及び／又は肩部を前記パジャマの上から覆う布製の上衣本体と、前記パジャマの袖を覆うべく、前記上衣本体に縫い合わされ、前記パジャマの袖丈より短い袖部と、前記上衣本体と前記パジャマとを着脱自在に取り付ける取り付け部とを備えることを特徴とする。
【０００７】
請求項２記載の衣料品は、請求項１記載の衣料品において、前記取り付け部は、ファスナー、ボタン、及びマジックテープの少なくとも１つから構成されていることを特徴とする。
【考案の効果】
【０００８】
請求項１記載の衣料品によれば、布製の上衣本体が、パジャマを着用する着用者の首部及び／又は肩部をパジャマの上から覆うので、首や肩から受ける寒さを防いで、風邪をひきづらくし、また、この上衣本体の取り外しが可能なので、パジャマを冬用や夏用に取り替えることなく、季節を通して着用することができる。
【０００９】
請求項２記載の衣料品によれば、取り付け部が、ファスナー、ボタン、及びマジックテープの少なくとも１つから構成されているので、上衣本体の取り外しを容易に行うことができる。
【考案を実施するための最良の形態】
【００１０】
以下、本考案の実施の形態を図面を参照して詳細に説明する。
【００１１】
図１は、本考案の実施の形態に係る衣料品の前面図であり、図２は、図１の衣料品の背面図である。
【００１２】
図１及び図２において、衣料品１は、前開きで長袖の襟付きパジャマ２と、該パジャマ２に対して着脱自在なボレロ風の上衣３とで構成されている。
【００１３】
パジャマ２は、一般に使用されている布帛、メリヤス等の布地で形成されている。上衣３は、保温性のよい布地で形成されており、例えば、表地として綿が使用され、裏地としてフリース生地が使用されている。
【００１４】
パジャマ２の前身頃２ａ，２ｂと上衣３の前身頃３ａ，３ｂには、図示のように、それぞれファスナー４ａ，４ｂが縫い付けられており、これにより、上衣３をパジャマ２に取り付けることが可能になっている。
【００１５】
また、パジャマ２の肩部にはボタン５ａ，５ｂが縫い付けられ、上衣３にはボタン５ａ，５ｂ用のボタンホール７ａ，７ｂが設けられており、これにより、上衣３をパジャマ２に止めることが可能になっている。
【００１６】
上衣３は、上衣本体３′と、パジャマ２の袖を覆うべく、上衣本体３′に縫い合わされた袖部３ｃ，３ｄとから成る。袖部３ｃ，３ｄは、その袖丈がパジャマ２の袖部２ｃ，２ｄの袖丈より短く、パジャマ２を着用する着用者の上腕部をほぼ覆う程度の長さを有している。なお、衣料品１は、主に不図示のズボンと共に使用されるものであるが、本実施の形態ではズボンを省略している。
【００１７】
図３は、図１における上衣３の前面図である。
【００１８】
図３において、上衣本体３′は、上述したように、前身頃３ａ，３ｂにファスナー４ａ，４ｂと、ボタンホール７ａ，７ｂとがそれぞれ設けられている。また、上衣本体３′と袖部３ｃ，３ｄとの間には、上衣３をパジャマ２に取り付けた際に、着用者の腕の動きを制限しないように、スリット６ａ，６ｂが設けられている。
【００１９】
図４（ａ）、図４（ｂ）、図５（ａ）、図５（ｂ）は、図１におけるパジャマ２と上衣３との取り付け部の例を示す図である。
【００２０】
上衣３とパジャマ２とは、図４（ａ）に示すように、ファスナー４ａ，４ｂにより取り付けられているが、図４（ｂ）に示すように、ファスナーに代えてボタン８ａ，８ｂにより取り付けられていてもよく、図５（ａ）に示すように、マジックテープ（登録商標）１１ａ，１１ｂにより取り付けられていてもよい。
【００２１】
また、上衣３とパジャマ２とは、図５（ｂ）に示すように、ファスナー９ａ，９ｂ、及びボタン１０ａ，１０ｂにより取り付けられていてもよい。
【００２２】
上記実施の形態によれば、衣料品１は、前開きで長袖の襟付きパジャマ２と、該パジャマ２に対して着脱可能なボレロ風の上衣３とで構成され、保温性のよい布地で形成された上衣３には、パジャマ２の袖部２ｃ，２ｄより短い袖部３ｃ，３ｄと、パジャマ２に接続可能なファスナー４ａ，４ｂ及びボタンホール７ａ，７ｂとが設けられているので、就寝中に肩から布団が外れて肩が露出される状態になっても、肩や首から受ける寒さを防いで、風邪をひきづらくすることができ、加えて、上衣３の取り外しが容易であるので、パジャマを冬用や夏用に取り替えることなく、季節を通して着用することができる。
【００２３】
上記実施の形態では、特に、男性用の襟付きパジャマについて説明したが、女性用や子供用の襟付きパジャマであってもよく、また、襟なしのＴシャツ状のパジャマや襟なしの前合わせパジャマであってもよいことは云うまでもない。また、パジャマに限らず、トレーニングウェアやワンピース等の他の衣料品に適用可能であることは云うまでもない。
【００２４】
パジャマ２の生地として、布帛やメリヤスを用いているが、これに限定されるものではない。また、上衣３として、表地に綿、裏地にフリースを用いているが、これに限らず、フリース地のみを用いてもよく、羽毛やキルティングであってよい。
【００２５】
衣料品１は、従来のものと同様に、就寝時に用いられるが、パジャマ２を着用したまま行動する際に、肩部が冷えるようなときは上衣３を装着するようにしてもよい。
【図面の簡単な説明】
【００２６】
【図１】本考案の実施の形態に係る衣料品の前面図である。
【図２】図１の衣料品の背面図である。
【図３】図１における上衣３の前面図である。
【図４】図１におけるパジャマ２と上衣３との取り付け部の一例を示す図であり、（ａ）はファスナーにより取り付けた場合を示し、（ｂ）はボタンにより取り付けた場合を示す。
【図５】図１におけるパジャマ２と上衣３との取り付け部の他の例を示す図であり、（ａ）はマジックテープにより取り付けた場合を示し、（ｂ）はファスナーにより取り付けた場合の他の例を示す。
【符号の説明】
【００２７】
１  衣料品
２  パジャマ
２ａ，２ｂ  パジャマ２の前身頃
３  上衣
３′  上衣本体
３ａ，３ｂ  上衣３の前身頃
３ｃ，３ｄ  袖部
４ａ，４ｂ  ファスナー
５ａ，５ｂ  ボタン
６ａ，６ｂ  スリット
７ａ，７ｂ  ボタンホール
【図１】
0003101639.tif 000003
【図２】
0003101639.tif 000004
【図３】
0003101639.tif 000005
【図４】
0003101639.tif 000006
【図５】
0003101639.tif 000007
【手続補正書】
【提出日】平成15年12月9日(2003.12.9)
【手続補正１】
【補正対象書類名】実用新案登録請求の範囲
【補正対象項目名】全文
【補正方法】変更
【補正の内容】
【実用新案登録請求の範囲】
【請求項１】
パジャマを着用する着用者の首部及び／又は肩部を前記パジャマの上から覆う布製の上衣本体と、
前記パジャマの袖を覆うべく、前記上衣本体に縫い合わされ、前記パジャマの袖丈より短い袖部と、
前記上衣本体と前記パジャマとを着脱自在に取り付ける取り付け部とを備えることを特徴とする衣料品。
【請求項２】
前記取り付け部は、ファスナー、ボタン、及び面ファスナーの少なくとも１つから構成されていることを特徴とする請求項１記載の衣料品。